(57)【要約】【課題】医療従事者が介助に必要な人数を判断したり、スタッフ呼出ボタンを操作したりすることなく、患者の介助に必要な人数の医療従事者を呼び出すことができるようにする。【解決手段】呼出ボタン３と介助呼出ボタン４とをナースコール子機１に設け、子機識別情報と、患者の身体的特徴を示す身体情報の値に応じて決まる介助に必要な医療従事者の人数を示す人数情報とを関連付けて記憶しておき、介助呼出ボタン４が操作された場合に、そのナースコール子機１の子機識別情報に関連付けて記憶されている人数情報に該当する数の携帯端末４０が応答するまで、既に応答した携帯端末４０を除いて介助呼出信号の出力を繰り返すようにしているので、介助呼出ボタン４を患者が操作するだけで、介助に必要な医療従事者の人数が決まり、応答した医療従事者の人数が必要な人数になるまで呼び出し動作が繰り返される。【選択図】図１
2014061109.tif 000002
【特許請求の範囲】
【請求項１】
患者が医療従事者を呼び出す際に操作される呼出ボタンと、患者が医療従事者の介助を必要とする呼び出しを行う際に操作される介助呼出ボタンと、前記呼出ボタンが操作された場合に他のナースコール子機と識別するための子機識別情報を含む呼出信号を生成し、前記介助呼出ボタンが操作された場合に前記子機識別情報を含む介助呼出信号を生成する子機制御部と、前記子機制御部にて生成された呼出信号および介助呼出信号を出力する子機インターフェースとを有するナースコール子機と、
各医療従事者によって携行されており、他の携帯端末と識別するための携帯端末識別情報を記憶する携帯端末記憶部と、前記呼び出しと前記介助呼び出しとを区別して報知を行う報知部と、前記報知に対する応答を行うために操作される応答操作部と、前記呼出信号および前記介助呼出信号を受信するとともに、前記応答操作部が操作された際に生成される応答信号を送信する無線送受信部と、前記無線送受信部が前記携帯端末記憶部に記憶されている携帯端末識別情報と一致する携帯端末識別情報を含む呼出信号または介助呼出信号を受信した場合に前記報知部を動作させるとともに、前記報知部が動作している状態で前記応答操作部が操作されると、前記携帯端末記憶部から取得した携帯端末識別情報を含む応答信号を生成する携帯端末制御部とを有する携帯端末と、
前記ナースコール子機および前記携帯端末を接続するインターフェースと、前記子機識別情報と前記子機識別情報によって特定されるナースコール子機を使用する患者の身体的特徴を示す身体情報の値によって決まり前記患者を介助する際に必要となる医療従事者の人数を示す人数情報とを関連付けて記憶する記憶部と、前記インターフェースが前記ナースコール子機から介助呼出信号を入力した場合に、前記記憶部を参照し、前記介助呼出信号に含まれる子機識別情報に関連付けて記憶されている人数情報を抽出して、抽出した人数情報に該当する回数の応答信号を前記インターフェースが入力するまで、複数の携帯端末のうち、既に応答が行われた携帯端末を除いた携帯端末に対して、介助呼出信号の出力を繰り返すとともに、前記インターフェースが前記ナースコール子機から呼出信号を入力した場合に、応答信号を前記インターフェースが入力するまで、複数の携帯端末に対して呼出信号の出力を行う制御部とを有する制御装置と、
を備えたことを特徴とするナースコールシステム。
【発明の詳細な説明】
【技術分野】
【０００１】
本発明は、患者がナースコール子機に設けた呼出ボタンを操作することによって医療従事者の介助を必要とする呼び出しを行うことができるナースコールシステムに関する。
【背景技術】
【０００２】
一般に、病院や介護施設などでは、ナースコールシステムが用いられている。ナースコールシステムは、病院内の病室に居る患者が看護師などのサポートを必要とする際、または介護施設の被介護者が介護師などのサポートを必要とする際に、患者や被介護者（以下、これらをまとめて患者と記載する）が呼出ボタンを操作することによって看護師や介護師（以下、これらをまとめて医療従事者と記載する）を呼び出すことができるように成されたシステムである。
【０００３】
多くのナースコールシステムは、病室内のベッドの近傍やトイレ、浴室などに設置され、呼出ボタンを備えるナースコール子機と、医療従事者が常駐するナースステーションに設置され、患者からの呼び出しを報知するナースコール親機と、病室の出入口付近の廊下側に設置され、病室内の患者の氏名を表示したり、病室内の患者が呼び出しを行っていることを表示したりする廊下灯と、通話やデータの送受信に関する制御を行う制御機とを備えて構成されている。また、上述した構成に加えて、医療従事者が携行するＰＨＳ（Personal Handy phone System）端末などの携帯端末とＰＢＸ（Private Branch Exchange：電話交換機）とを備えたナースコールシステムも提供されている。
【０００４】
このようなナースコールシステムでは、ナースコール子機の呼出ボタンが操作されると、ナースコール子機にて生成された呼出信号が廊下灯を介してナースコール親機へ出力される。ナースコール親機や携帯端末では、患者から呼び出しが行われたことを音声などにより報知する。この報知を把握した医療従事者は、ナースコール親機に設置されているハンドセットをオフフックしたり、自身が携行している携帯端末をオフフックしたりすることで、呼び出しに対して応答することができる。ここで、呼び出しに対して応答が行われると、ナースコール親機や携帯端末で行われていた報知は停止する。そして、応答を行った医療従事者は、ナースコール子機の呼出ボタンを操作した患者（換言すると、呼び出しを行った患者）の居る病室へ赴き、患者の状況を確認する。
【０００５】
ところで、上述した呼び出しの中には、患者がトイレなどの設備を使用する際に行われる呼び出しも含まれる。通常の呼び出しが行われた場合に、医療従事者は、患者の様子を確認したり、所定の看護行為を行ったりする必要がある。一方、トイレ介助などの介助呼び出しが行われた場合には、医療従事者は、患者を介助して所望の設備のある場所に移動する必要がある。
【０００６】
そのため、上述した通常の呼び出しと介助呼び出しとを区別して報知する技術が知られている（特許文献１、２など）。特許文献１に記載の従来技術では、通常の呼び出しを行うための呼出ボタンとは別に、トイレ介助要求ボタンを設けることが記載されている。また、特許文献１に記載の技術では、通常の呼び出しを行うための呼出ボタンを２回押すことで、トイレ介助などの介助呼び出しを行うことが記載されている。また、特許文献２に記載の技術では、通常の呼び出しを行うための呼出ボタンを連続して所定時間以上押し続けることによりトイレ介助などの介助呼び出しを行うことが記載されている。
【０００７】
しかしながら、上述したように介助呼び出しが行われた場合に、患者の居る病室に赴いた医療従事者が患者の介助を行う際に、患者の体重が重すぎたり、患者の身長が高すぎたりして、医療従事者が一人で患者を介助することができないケースが生じてしまうという問題があった。
【０００８】
このような場合、医療従事者は、ナースコール子機の近傍に設けられたスタッフ呼出ボタンを操作して他の医療従事者の応援を要請する必要がある。この場合、ナースコール子機の呼出ボタンが操作された場合と同様に、ナースコール親機や携帯端末で報知が行われる。そして、この報知を把握した他の医療従事者は、ナースコール親機に設置されているハンドセットをオフフックしたり、自身が携行している携帯端末をオフフックしたりすることで、呼び出しに応答することができる。ここでも、呼び出しに対して応答が行われると、ナースコール親機や携帯端末で行われていた報知は停止する。そして、応答を行った他の医療従事者は、スタッフ呼出ボタンが操作された病室へ赴き、スタッフ呼出ボタンを操作した医療従事者とともに患者の介助を行う。
【先行技術文献】
【特許文献】
【０００９】
【特許文献１】特開平１１−４７１９８号公報
【特許文献２】特開平１１−４７１９９号公報
【発明の概要】
【発明が解決しようとする課題】
【００１０】
しかしながら、上述した従来技術では、最初に患者の居る病室に赴いた医療従事者が一人で介助が可能であるか否かを判断し、その医療従事者が一人で介助を行うことが困難であると考えた場合にスタッフ呼出ボタンを改めて操作する必要があるため、医療従事者が他の医療従事者を呼び出すために余計な判断や余計な操作が必要になってしまうという問題があった。
【００１１】
本発明は、このような問題を解決するために成されたものであり、医療従事者が介助に必要な人数を判断したり、スタッフ呼出ボタンを操作したりすることなく、患者の介助に必要な人数の医療従事者を呼び出すことができるようにすることを目的とする。
【課題を解決するための手段】
【００１２】
上述した課題を解決するために、本発明では、通常の呼び出しを行うために操作される呼出ボタンと、医療従事者の介助を要請するために操作される介助呼出ボタンとをナースコール子機に設け、ナースコール子機を他のナースコール子機と識別するための子機識別情報と患者の身体的特徴を示す身体情報の値によって決まる介助に必要な医療従事者の人数を示す人数情報とを関連付けて記憶しておき、介助呼出ボタンが操作された場合に、介助呼出ボタンが操作されたナースコール子機の子機識別情報に関連付けて記憶されている人数情報に該当する数の携帯端末が応答するまで、複数の携帯端末のうち、既に応答が行われた携帯端末を除いた携帯端末に対して、呼出信号の出力を繰り返すようにしている。
【発明の効果】
【００１３】
上記のように構成した本発明によれば、医療従事者の介助を必要とする呼び出しを行うための介助呼出ボタンを患者が操作するだけで、患者の身体的特徴を示す身体情報の値に応じてその患者の介助に必要な医療従事者の人数が決まり、応答した医療従事者の人数が必要な人数になるまで医療従事者が携行する携帯端末を呼び出す動作が繰り返されるので、医療従事者が介助に必要な人数を判断したり、スタッフ呼出ボタンを操作したりすることなく、患者の介助に必要な人数の医療従事者を呼び出すことができる。
【図面の簡単な説明】
【００１４】
【図１】本実施形態によるナースコールシステムの構成例を示すブロック図である。
【図２】本実施形態によるナースコールシステムの記憶部の記憶内容の例を示す図である。
【図３】本実施形態によるナースコールシステムの介助呼び出しの動作例を示す図である。
【発明を実施するための形態】
【００１５】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍などに設置され、患者によって使用される。ここで、ナースコール子機１は、各ベッドに対して設置されている。また、ナースコール子機１は、子機制御部２、呼出ボタン３、介助呼出ボタン４、子機インターフェース５を備えて構成されている。
【００１６】
１０は制御装置であり、医療従事者が常駐するナースステーションなどに設置される。また、制御装置１０は、後述する複数の携帯端末４０のうち、どの携帯端末４０に対してナースコール子機１からの呼び出しを報知させるかを決定するためのものである。ここで、制御装置１０は、制御部１１、インターフェース１２、記憶部１３を備えて構成されている。
【００１７】
２０は主装置であり、病院内の通信センターなどに設置されていて、例えば、後述する携帯端末４０のＰＢＸなどにより構成されている。３０は無線装置であり、主装置２０と携帯端末４０とが無線通信するための無線基地局である。４０は、各医療従事者により携行される携帯端末であり、無線装置３０との間で無線通信が可能である。ここで、主装置２０は、制御装置１０に接続されている。また、無線装置３０は、病院内の各所に設置されていることが好ましく、携帯端末４０が病院内のどの場所にあっても無線装置３０と通信可能となることが好ましい。
【００１８】
携帯端末４０は、医療従事者によって携行され、患者からの呼び出しに対して応答するために使用される。ここで、携帯端末４０は、携帯端末制御部４１、無線送受信部４２、携帯端末記憶部４３、報知部４４、応答操作部４５を備えて構成されている。
【００１９】
まず、ナースコール子機１の各構成要素について説明する。子機制御部２は、ナースコール子機１の各構成要素を後述するように制御するためのものであり、ＣＰＵ（Central Processing Unit）などにより構成されている。呼出ボタン３は、患者が医療従事者に対して通常の呼び出しを行う際に操作するためのものである。介助呼出ボタン４は、患者が医療従事者の介助を必要とするような呼び出しを行う際に操作するためのものである。ここで、患者が医療従事者の介助を必要とするような呼び出しとは、医療従事者が患者を介助して所望の設備のある場所に移動するような呼び出しに該当する。また、通常の呼び出しとは、介助呼び出し以外の呼び出しに該当する。
【００２０】
子機インターフェース５は、ナースコール子機１と制御装置１０および携帯端末４０とを接続して通信を行うためのものである。通常の呼び出しを行う場合、患者は呼出ボタン３を操作する。すると、子機制御部２は呼出信号を生成する。ここで、呼出信号には、このナースコール子機１を他のナースコール子機１と識別するための子機識別情報が含まれる。また、子機識別情報としては、ベッド番号などの情報が用いられる。子機制御部２は、生成した呼出信号を子機インターフェース５により制御装置１０へ出力する。
【００２１】
一方、医療従事者の介助を必要とする場合、患者は介助呼出ボタン４を操作する。すると、子機制御部２は介助呼出信号を生成する。ここで、介助呼出信号にも、このナースコール子機１を他のナースコール子機１と識別するための子機識別情報が含まれる。子機制御部２は、生成した介助呼出信号を子機インターフェース５により制御装置１０へ出力する。
【００２２】
次に、制御装置１０の各構成要素について説明する。制御部１１は、制御装置１０の各構成要素を後述するように制御するためのものであり、ＣＰＵなどにより構成されている。インターフェース１２は、制御装置１０とナースコール子機１とを接続して通信を行うためのものである。ここで、インターフェース１２は、ナースコール子機１から出力された呼出信号および介助呼出信号を入力する。また、インターフェース１２は、制御装置１０と主装置２０とを接続して通信を行うためのものである。ここで、インターフェース１２は、呼び出す携帯端末４０の携帯端末識別情報を含む呼出信号および呼び出す携帯端末４０の携帯端末識別情報を含む介助呼出信号を主装置２０へ出力するとともに、主装置２０から応答信号を入力する。
【００２３】
記憶部１３は、図２に示すように、子機識別情報と、子機識別情報によって特定されるナースコール子機１を使用している患者の体重を示す体重情報（特許請求の範囲の身体情報に該当する）と、体重情報によって決まり、医療従事者が患者の介助を行う際に必要な人数を示す人数情報とを関連付けて記憶している。本実施形態では、患者の体重が６０ｋｇ以下の場合には、人数情報が１人であり、患者の体重が６０ｋｇを超える場合には、人数情報が２人である。
【００２４】
なお、人数情報は医療従事者の人数や介助の度合い（患者が動ける度合いや移動すべき距離など）によって異なる数値としても良い。また、本実施形態では、身体情報として体重情報を用いているが、これに限定されない。例えば、患者の身長の高さを示す身長情報を用いるようにしても良いし、両者を掛け合わせて用いるようにしても良い。
【００２５】
インターフェース１２が呼出信号を入力すると、制御部１１は、全ての携帯端末４０に対して、インターフェース１２により呼出信号を出力させる。また、インターフェース１２が介助呼出信号を入力すると、制御部１１は、全ての携帯端末４０に対して、インターフェース１２により介助呼出信号を出力させる。具体的には、全ての携帯端末４０の携帯端末識別情報を呼出信号や介助呼出信号に付加して出力させる。
【００２６】
なお、本実施形態では、全ての携帯端末４０に対して呼出信号および介助呼出信号を出力するようにしているが、これに限定されない。例えば、子機識別情報によって特定されるナースコール子機１を使用する患者を担当する全ての携帯端末４０に対して呼出信号および介助呼出信号を出力するようにしても良い。
【００２７】
インターフェース１２が呼出信号を入力し、制御部１１が全ての携帯端末４０に対して呼出信号を出力した場合、インターフェース１２が何れかの携帯端末４０から応答信号を入力すると、制御部１１は呼出信号の出力を終了するとともに携帯端末４０の報知を停止するための復旧信号を各携帯端末４０へ送信する。
【００２８】
一方、インターフェース１２が介助呼出信号を入力し、制御部１１が全ての携帯端末４０に対して介助呼出信号を出力した場合、制御部１１は、記憶部１３を参照し、介助呼出信号に含まれる子機識別情報に関連付けて記憶されている人数情報を抽出する。そして、インターフェース１２が何れかの携帯端末４０から応答信号を入力すると、制御部１１は呼出信号の出力を終了するとともに携帯端末４０の報知を停止するための復旧信号を各携帯端末４０へ送信する。
【００２９】
この状態で、制御部１１は、抽出した人数情報を「１」だけ減らし、応答信号に含まれる携帯端末識別情報によって特定される携帯端末４０以外の携帯端末４０に対して介助呼出信号を再度出力する。この動作は、人数情報が「０」になるまで繰り返される。
【００３０】
次に、携帯端末４０の各構成要素について説明する。携帯端末制御部４１は、携帯端末４０の各構成要素を後述するように制御するためのものであり、ＣＰＵなどにより構成されている。無線送受信部４２は、携帯端末４０が無線装置３０との間で無線通信を行うためのものである。携帯端末記憶部４３は、メモリなどの記憶装置により構成されており、この携帯端末４０を他の携帯端末４０と識別するための携帯端末識別情報を記憶している。
【００３１】
報知部４４は、スピーカーや表示ディスプレイなどにより構成されており、通常の呼び出しと介助呼び出しとを区別して報知するためのものである。応答操作部４５は、報知部４４が報知を行っている際に、携帯端末４０を携行している医療従事者により操作される。この操作により、携帯端末制御部４１は報知部４４の動作を停止させる。また、応答操作部４５が操作されると、携帯端末制御部４１は、応答信号を生成して、無線送受信部４２により送信させる。ここで、応答信号には、この携帯端末４０を他の携帯端末４０と識別するための携帯端末識別情報が含まれる。
【００３２】
このように構成された携帯端末４０では、無線送受信部４２が無線装置３０から呼出信号を受信すると、携帯端末制御部４１は、呼出信号に含まれる携帯端末識別情報と記憶部４３に記憶されている自装置の携帯端末識別情報とを比較して、両者が一致するか否かを判定する。そして、両者が一致した場合に、携帯端末制御部４１は報知部４４を動作させる。
【００３３】
複数の携帯端末４０にて報知が行われている状態で、何れかの携帯端末４０で応答操作部４５が操作されると、その携帯端末４０の携帯端末識別情報を含む応答信号が送信される。この応答信号を入力した制御装置１０では、報知を停止するための復旧信号を各携帯端末４０へ送信して、報知を行っていた各携帯端末４０での報知を停止させる。
【００３４】
一方、無線送受信部４２が無線装置３０から介助呼出信号を受信すると、携帯端末制御部４１は、介助呼出信号に含まれる携帯端末識別情報と記憶部４３に記憶されている自装置の携帯端末識別情報とを比較して、両者が一致するか否かを判定する。そして、両者が一致した場合に、携帯端末制御部４１は報知部４４を動作させる。
【００３５】
複数の携帯端末４０にて報知が行われている状態で、何れかの携帯端末４０で応答操作部４５が操作されると、その携帯端末４０の携帯端末識別情報を含む応答信号が送信される。この応答信号を入力した制御装置１０では、報知を停止するための復旧信号を各携帯端末４０へ送信して、報知を行なっていた各携帯端末４０での報知を停止させる。
【００３６】
そして、制御部１１は、抽出していた人数情報を１だけ減らして、その数値が０ではない場合には、インターフェース１２により入力した応答信号に含まれている携帯端末識別情報により特定される携帯端末４０を除いた他の携帯端末４０に対して、インターフェース１２により介助呼出信号を再度出力させる。そして、制御部１１は、上述した処理を人数情報が０になるまで繰り返す。
【００３７】
次に、本実施形態によるナースコールシステムの動作を具体的に説明する。図３は、本実施形態によるナースコールシステムの介助呼び出しの動作例を示す図である。まず、ナースコール子機１の介助呼出ボタンが操作されると、制御装置１０は全ての携帯端末４０へ介助呼出信号を出力する。すると、全ての携帯端末４０にて報知が行われる（図３（ａ）参照）。ここで、使用される携帯端末４０は５台であり、各携帯端末４０の携帯端末識別情報は、「０１」、「０２」、「０３」、「０４」、「０５」である。
【００３８】
一方、制御装置１０では、記憶部１３が参照され、子機識別情報に関連付けて記憶されている人数情報「２」が抽出される。この状態で、携帯端末識別情報が「０３」である携帯端末４０にて応答が行われると、携帯端末識別情報「０３」を含む応答信号が携帯端末４０から制御装置１０へ送信される。制御装置１０では、介助呼出信号の出力を停止するとともに復旧信号を全ての携帯端末４０へ送信して、全ての携帯端末４０の報知を停止させる。携帯端末識別情報が「０３」である携帯端末４０にて応答した医療従事者は、患者の介助を行うために、介助呼び出しが行われたナースコール子機１が設置されている病室へ赴く。
【００３９】
また、制御装置１０は、抽出した人数情報「２」を１だけ減らして「１」とし、上述した携帯端末識別情報が「０３」以外の携帯端末識別情報「０１」、「０２」、「０４」、「０５」の携帯端末４０に対して介助呼出信号を出力する。すると、携帯端末識別情報が「０３」以外の携帯端末４０にて報知が行われる（図３（ｂ）参照）。
【００４０】
この状態で、携帯端末識別情報が「０５」である携帯端末４０にて応答が行われると、携帯端末識別情報「０５」を含む応答信号が携帯端末４０から制御装置１０へ送信される。制御装置１０では、介助呼出信号の出力を停止するとともに復旧信号を全ての携帯端末４０（携帯端末識別情報が「０３」の携帯端末４０を含んでも良いし含まなくても良い）へ送信して、全ての携帯端末４０の報知を停止させる。携帯端末識別情報が「０５」である携帯端末４０にて応答した医療従事者は、患者の介助を行うために、介助呼び出しが行われたナースコール子機１が設置されている病室へ赴く。また、制御装置１０は、抽出した人数情報「１」を１だけ減らして「０」とし、人数情報が「０」となるため、介助呼出信号の出力を終了する（図３（ｃ）参照）。
【００４１】
以上詳しく説明したように、本実施形態によれば、通常の呼び出しを行うために操作される呼出ボタン３と、医療従事者の介助を要請するために操作される介助呼出ボタン４とをナースコール子機１に設け、ナースコール子機１を他のナースコール子機１と識別するための子機識別情報と、患者の体重に応じて決まる介助に必要な医療従事者の人数を示す人数情報とを関連付けて記憶部１３に記憶しておく。そして、介助呼出ボタン４が操作された場合に、制御装置１０の制御部１０は、介助呼出ボタン４が操作されたナースコール子機１の子機識別情報に関連付けて記憶されている人数情報に該当する数の携帯端末４０が応答するまで、複数の携帯端末４０のうち、既に応答が行われた携帯端末４０を除いた携帯端末４０に対して、介助呼出信号の出力を繰り返すようにしている。
【００４２】
これにより、医療従事者の介助を必要とする呼び出しを行うための介助呼出ボタン４を患者が操作するだけで、患者の体重に応じてその患者の介助に必要な医療従事者の人数が決まり、応答した医療従事者の人数が必要な人数になるまで医療従事者が携行する携帯端末４０を呼び出す動作が繰り返されるので、医療従事者が介助に必要な人数を判断したり、スタッフ呼出ボタンを操作したりすることなく、患者の介助に必要な人数の医療従事者を呼び出すことができる。
【００４３】
また、前述した実施形態では、医療従事者からの呼び出しに対して、携帯端末４０のみを報知の対象としているが、これに限定されない。例えば、ナースステーションに設置されているナースコール親機を報知の対象とするようにしても良い。この場合、ナースコール親機は不特定多数の医療従事者によって使用されるため、応答を行っても、次の報知の対象から外されることはない。
【００４４】
また、前述した実施形態では、介助呼出ボタン４と呼出ボタン３とを別々に設けているが、これに限定されない。例えば、呼出ボタン３の操作方法（操作回数や操作時間など）を異ならせることにより、通常の呼び出しと介助呼び出しとを区別するようにしても良い。
【００４５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４６】
１    ナースコール子機
２    子機制御部
３    呼出ボタン
４    介助呼出ボタン
５    子機インターフェース
１０    制御装置
１１    制御部
１２    インターフェース
１３    記憶部
２０    主装置
３０    無線装置
４０    携帯端末
４１    携帯端末制御部
４２    無線送受信部
４３    携帯端末記憶部
４４    報知部
４５    応答操作部
【図１】
2014061109.tif 000003
【図２】
2014061109.tif 000004
【図３】
2014061109.tif 000005